(57)【要約】クライアントから、店舗を管理するサーバをアクセスして商品の購入を行うショッピングシステムにおいて、サーバは、クライアント側に、複数の商品のアイコンを含む商品棚と、ショッピングカートとを１つの画面に表示する表示手段を備え、クライアントは、画面上で購入予定の商品のアイコンをドラッグアンドドロップにより選択してショッピングカートへ入れることで商品の購入をサーバ側へ通知する選択手段を備え、表示手段は、選択された商品のアイコンを商品棚からショッピングカート内へ移し、予算とショッピングカート内にある商品の合計金額とのバランスを視覚的に認識可能な形態で画面に表示し、予算の入力を促す表示を１つの画面又は別の画面に表示するように構成する。
2002056217.tif 000002
【特許請求の範囲】
【請求項１】
クライアントから、店舗を管理するサーバをアクセスして商品の購入を行うショッピングシステムにおいて、
サーバは、クライアント側に、複数の商品のアイコンを含む商品棚と、ショッピングカートとを１つの画面に表示する表示手段を備え、
クライアントは、該画面上で購入予定の商品のアイコンをドラッグアンドドロップにより選択してショッピングカートへ入れることで商品の購入をサーバ側へ通知する選択手段を備え、
該表示手段は、選択された商品のアイコンを商品棚からショッピングカート内へ移し、予算とショッピングカート内にある商品の合計金額とのバランスを視覚的に認識可能な形態で前記画面に表示し、該予算の入力を促す表示を該１つの画面又は別の画面に表示する、ショッピングシステム。
【請求項２】
前記表示手段は、前記予算に応じてショッピングカートの大きさを可変する、特許請求の範囲第１項記載のショッピングシステム。
【請求項３】
前記表示手段は、ショッピングカート内にある商品のリストを前記画面に更に表示する、特許請求の範囲第１項又は第２項記載のショッピングシステム。
【請求項４】
前記商品のアイコンは、該商品の外観に対応している、特許請求の範囲第１項〜第３項のいずれか１項記載のショッピングシステム。
【請求項５】
前記表示手段は、前記予算と前記購入予定の商品の合計金額とのバランスに応じて、前記ショッピングカートの中の占有面積を変化させる、特許請求の範囲第１項〜第４項のいずれか１項記載のショッピングシステム。
【請求項６】
クライアントから、店舗を管理するサーバをアクセスして商品の購入を行うショッピングシステムにおいて、
サーバは、クライアント側に、クライアントが入力した予算と、クライアントが選択した購入予定の商品の合計金額とのバランスを、視覚的に認識可能な形態で画面に表示する表示手段を備えた、ショッピングシステム。
【請求項７】
前記表示手段は、前記予算と前記合計金額との差を数値で表示する、特許請求の範囲第６項記載のショッピングシステム。
【請求項８】
前記表示手段は、購入予定の商品のアイコンを内部に表示するショッピングカートを前記画面に表示すると共に、前記予算に応じてショッピングカートの大きさを可変する、特許請求の範囲第６項又は第７項記載のショッピングシステム。
【請求項９】
前記表示手段は、前記購入予定の商品の価格と前記予算との割合に応じて、前記ショッピングカートの中の占有面積を変化させる、特許請求の範囲第８項記載のショッピングシステム。
【請求項１０】
店舗を管理すると共に、複数の商品のアイコンを含む商品棚とショッピングカートとをクライアント側の１つの画面に表示させるサーバをアクセスして商品の購入を行うショッピングシステムにおいてクライアントを構成する情報端末であって、
該画面上で購入予定の商品のアイコンをドラッグアンドドロップにより選択してショッピングカートへ入れることで商品の購入をサーバ側へ通知する選択手段と、
該サーバからの指示に応答して、選択された商品のアイコンを商品棚からショッピングカート内へ移して表示し、予算とショッピングカート内にある商品の合計金額とのバランスを視覚的に認識可能な形態で前記画面に表示し、該予算の入力を促す表示を該１つの画面又は別の画面に表示する表示手段とを備えた、情報端末。
【発明の詳細な説明】
技術分野
本発明は、ショッピングシステムに係り、特にインターネット上の店舗におけるショッピングシステムに関する。
背景技術
先ず、従来のショッピングシステムを説明する。図１〜図３は、インターネット上の店舗におけるショッピングを行う場合の従来の操作を説明する図である。
ユーザは、ｗｗｗブラウザにより店舗を管理するｗｗｗサーバをアクセスすることで、所望の店舗にアクセスする。これにより、ユーザ側では、例えば図１に示す如きジャンル別の商品一覧の画面が表示される。このジャンル別の商品一覧には、商品名や価格等が示されている。
ユーザが、ジャンル別の商品一覧中、購入したい商品名ＡＡの商品を例えばマウスをクリックすることで選択すると、図２に示す如き商品説明の画面が表示される。この商品説明の画面では、選択された商品の外観、価格や説明等が示される。ユーザは、この商品説明を確認した上で、商品を購入する場合には例えば「カートへ」のボタンをマウスでクリックすることで、選択された商品をショッピングカートへ入れて購入を決定する。
このような、所謂ショッピングカート方式の場合、ショッピングカートに入れられた、購入予定の商品に関する情報は、図３に示す如き購入商品一覧の画面で示される。購入商品一覧には、商品名、単価、個数、小計等が示される。商品の購入を取り消す場合には、対応する「削除」のボタンをマウスでクリックする。
しかし、ショッピングカート方式を採用した従来のショッピングシステムでは、購入したい商品を選択してショッピングカートに入れても、実世界での商品購入の場合とは全く感覚が異なるため、特に多数の商品を購入しようとする場合等には、ユーザは商品を購入した実感を得にくい。これは、購入する商品を、図１に示す如きジャンル別の商品一覧という表形式の表示から選択し、更に図２に示す如き商品説明を確認した上で決定することと、ショッピングカートに入れられた購入予定の商品が、図３に示す如き購入商品一覧という表形式で表示されることにもよる。従って、従来のショッピングシステムでは、ユーザは、実世界での商品購入の場合と同様な感覚で買い物をすることができないという問題があった。
他方、特に多数の商品を購入する場合、ユーザは予算、即ち、限度額を決めている場合が多い。しかし、従来のショッピングシステムでは、図３に示す如き購入商品一覧から購入する商品の合計金額を知ることができるものの、限度額を超えたか否かの判断はユーザ自身が行わなくてはならない。又、購入する商品の合計金額が限度額を超えている場合、ユーザは、例えば１つの商品の購入を取り消す操作を行えるが、この操作の結果限度額を超えているか否かの判断は、再度ユーザ自身が行わなくてはならない。更に、購入する商品の合計金額が、限度額に対してどの程度超えているか、或いは、どの程度下回っているかの判断も、ユーザ自身が行わなくてはならない。このため、従来のショッピングシステムでは、ユーザが限度額を決めて買い物をする場合、購入予定の商品の合計金額と限度額との関係は常にユーザ自身が把握している必要があり、ユーザ側への負担が大きく、不便であるという問題もあった。
発明の開示
そこで、本発明は、上記の問題点を解決した新規、且つ、有用なショッピングシステムを提供することを概括的目的とする。
本発明の第１の目的は、インターネット上の店舗において、実世界での商品購入の場合と同様な感覚で買い物をすることができるショッピングシステムを提供するにある。
又、本発明の第２の目的は、インターネット上の店舗で買い物をする場合、購入予定の商品の合計金額と限度額との関係を、ユーザが分かりやすい形式で表示することができるショッピングシステムを提供するにある。
具体的には、本発明は、クライアントから、店舗を管理するサーバをアクセスして商品の購入を行うショッピングシステムにおいて、サーバは、クライアント側に、複数の商品のアイコンを含む商品棚と、ショッピングカートとを１つの画面に表示する表示手段を備え、クライアントは、画面上で購入予定の商品のアイコンをドラッグアンドドロップにより選択してショッピングカートへ入れることで商品の購入をサーバ側へ通知する選択手段を備え、表示手段は、選択された商品のアイコンを商品棚からショッピングカート内へ移し、予算とショッピングカート内にある商品の合計金額とのバランスを視覚的に認識可能な形態で画面に表示し、予算の入力を促す表示を前記１つの画面又は別の画面に表示するショッピングシステムを提供することを目的とする。本発明によれば、インターネット上の店舗において、実世界での商品購入の場合と同様な感覚で買い物をすることができ、上記第１及び第２の目的が達成できる。
又、本発明は、クライアントから、店舗を管理するサーバをアクセスして商品の購入を行うショッピングシステムにおいて、サーバは、クライアント側に、クライアントが入力した予算と、クライアントが選択した購入予定の商品の合計金額とのバランスを、視覚的に認識可能な形態で画面に表示するショッピングシステムを提供することを目的とする。本発明によれば、インターネット上の店舗で買い物をする場合、購入予定の商品の合計金額と限度額との関係を、ユーザが分かりやすい形式で表示することができ、上記第２の目的が達成できる。
更に、本発明は、店舗を管理すると共に、複数の商品のアイコンを含む商品棚とショッピングカートとをクライアント側の１つの画面に表示させるサーバをアクセスして商品の購入を行うショッピングシステムにおいてクライアントを構成する情報端末であって、画面上で購入予定の商品のアイコンをドラッグアンドドロップにより選択してショッピングカートへ入れることで商品の購入をサーバ側へ通知する選択手段と、サーバからの指示に応答して、選択された商品のアイコンを商品棚からショッピングカート内へ移して表示し、予算とショッピングカート内にある商品の合計金額とのバランスを視覚的に認識可能な形態で前記画面に表示し、該予算の入力を促す表示を前記１つの画面又は別の画面に表示する表示手段とを備えた情報端末を提供することを目的とする。本発明によれば、インターネット上の店舗において、実世界での商品購入の場合と同様な感覚で買い物をすることができ、上記第１及び第２の目的が達成できる。
本発明の更に他の目的及び特長は、以下図面と共に述べる説明より明らかとなろう。
発明を実施するための最良の形態
以下、本発明になるショッピングシステムの実施例を、図４以降と共に説明する。
図４は本発明になるショッピングシステムの一実施例を示す図である。同図中、パーソナルコンピュータ（ＰＣ）等のインターネット機能、即ち、ｗｗｗブラウザを備えた情報端末１は、インターネット等のネットワーク２を介してショッピングモール３−１〜３−Ｎをアクセス可能である。各ショッピングモール３−ｉ（ｉ＝１〜Ｎ）は、１又は複数の店舗を管理するｗｗｗサーバを有する。尚、複数のショッピングモールに対して１つのｗｗｗサーバを設ける構成としても良く、更に、複数のサーバにより１つのｗｗｗサーバを構成するようにしても良い。情報端末１自体は、ＣＰＵ、表示部、記憶部やマウスやキーボード等の入力装置からなる周知のハードウェア構成を有し、ｗｗｗサーバを含むショッピングモール３−１〜３−Ｎ自体もＣＰＵ、表示部、記憶部や入力装置からなる周知のハードウェア構成を有する。本実施例では、ユーザが操作する情報端末１がショッピングシステムにおけるクライアントを構成し、ｗｗｗサーバを含むショッピングモール３−１〜３−Ｎがショッピングシステムにおけるサーバを構成する。
先ず、本実施例における情報端末１におけるユーザの操作について、図５〜図１２と共に説明する。図５及び図６は、本実施例の動作を説明するフローチャートである。又、図７〜図１２は、ユーザがショッピングモールの店舗で買い物をする際に情報端末１の表示部に表示される画面を示す図である。
図５において、ステップＳ１では、サーバ側がクライアント側の表示部に、図７に示す如き予算入力画面１０−１を表示する。ここで、予算とは、買い物をする際の限度額を言う。図７の予算入力画面では、「ネットショッピングでの予算を入力下さい」というメッセージと共に、予算を入力するウィンドウ１１が表示される。ステップＳ２では、ユーザがクライアント側の入力装置から予算を入力する。ユーザが、例えば５０００円の予算を入力すると、図７のウィンドウ１１内には、５０００円が表示される。
ステップＳ３では、サーバ側で初期予算残高を設定する。初期予算残高は、上記予算と等しい。ステップＳ４では、サーバ側で、図８と共に後述するクライアント側の表示部に表示される画面１０−２内のショッピングカート２３の大きさを、上記予算に応じて設定する。図１３は、ショッピングカート２３の大きさを説明する図である。図１３中、（ａ）は予算が２００００円の場合のショッピングカート２３を示し、（ｂ）は予算が５００００円の場合のショッピングカート２３を示す。つまり、図１３に示すように、予算が多い程、ショッピングカート２３の大きさを大きく表示し、より多くの商品のアイコンが入るようにする。又、ステップＳ５では、サーバ側がクライアント側の表示部に、予算入力後の初期画面を表示する。初期状態では、ショッピングカート２３は、同じ画面１０−２内に表示されるウィンドウ２４内の予算残高の表示よりも上位に表示する。
初期予算残高は、上記予算と等しいので、クライアント側では図８に示す予算入力後の画面１０−２のウィンドウ２４内に上記予算が予算残高として表示される。この画面１０−２には、ウィンドウ２４に加え、商品棚２１、購入品一覧２２、ショッピングカート２３、キャンセルボタン２５、購入ボタン２６、返却ボックス２７及び秤３０が表示される。
商品棚２１内には、商品Ａ〜Ｆのアイコンが表示される。商品Ａ〜Ｆのアイコンは、夫々対応する商品Ａ〜Ｆの外観に対応した写真、イラスト、アニメーション等からなり、アイコンから各商品Ａ〜Ｆが識別可能となっている。アイコン自体は静止画像であっても、動画像であっても良い。購入品一覧２２内には、購入予定の商品のリストが表示される。商品のリストには、品名、価格等が含まれる。ショッピングカート２３は、購入予定の商品を入れる、実世界におけるショッピングカートに対応する機能を有する。後述する如く、購入予定の商品は、ユーザがマウスで商品のアイコンを商品棚２１からショッピングカート２３へドラッグアンドドロップすることで、ショッピングカート２３内に移動（複写）される。ウィンドウ２４内には、上記予算から購入予定の商品の合計金額を引いた予算残高が表示される。本実施例では、ショッピングカート２３とウィンドウ２４とは、秤３０でバランスされた形式で表示される。つまり、ショッピングカート２３内の購入予定の商品の合計金額と、ウィンドウ２４内の予算残高とのバランスが、秤３０により示され、秤３０の両側のうち金額の少ない方の側が上がるように（即ち、上位に表示されるように）なっている。
キャンセルボタン２５は、操作をキャンセルする際に、ユーザが例えばマウスをクリックすることで選択される。購入ボタン２６は、商品棚２１からショッピングカート２３へ移動した購入予定の商品の購入を決定する際に、ユーザが例えばマウスをクリックすることで選択される。返却ボックス２７には、購入予定の商品を商品棚２１へ返却する際に使用される。購入予定であったが返却する商品は、ユーザがマウスで商品のアイコンをショッピングカート２３から返却ボックス２７へドラッグアンドドロップすることで、商品棚２１内に返却される。尚、返却する商品のアイコンをショッピングカート２３から直接商品棚２１へドラッグアンドドロップするようにしても良いが、商品棚２１が複数あり選択的に画面１０−２内に表示される場合には、商品が戻るべき商品棚２１が画面１０−２内に表示されていない場合もあり、このような場合には返却ボックス２７を設ける方が操作性が良い。
図５の説明に戻ると、ステップＳ６では、サーバ側が、クライアント側でキャンセルボタン２５が選択されたか否かを判定し、判定結果がＹＥＳであると、処理が強制的に終了される。他方、ステップＳ６の判定結果がＮＯであると、ステップＳ７では、サーバ側が、クライアント側で購入ボタン２６が選択されたか否かを判定する。ステップＳ７の判定結果がＮＯであると、ステップＳ８では、サーバ側が、クライアント側から後述する購入品一覧（又は、ショッピングカート一覧）２２の個数入力があったか否かを判定し、判定結果がＮＯの場合は処理は図６に示すステップＳ１４へ進む。
図６において、ステップＳ１４では、サーバ側が、クライアント側でユーザが購入したい商品を商品棚２１からショッピングカート２３へドラッグアンドドロップしたか否かを、クライアント側からの通知に基いて判定する。図９は、商品Ａ，Ｄを商品棚２１からショッピングカート２３へ移動した状態を示しており、図１０は、更に商品Ｂを商品棚２１からショッピングカート２３へ移動した状態を示している。ステップＳ１４の判定結果がＹＥＳであると、ステップＳ１５では、サーバ側が、同一商品がショッピングカート２３にあるか否かを判定する。ステップＳ１５の判定結果がＮＯであると、ステップＳ１６では、サーバ側が、ショッピングカート２３内の各商品の個数を１に設定する。
ステップＳ１７では、サーバ側が、ショッピングカート２３内の各商品の価格及び消費税から、購入予定の商品の支払額を計算する。ステップＳ１８では、サーバ側が、現在の予算残高から支払額を減算することで、予算残高を更新してウィンドウ２４内に表示する。購入予定の商品が複数ある場合には、各商品の支払額の合計、即ち、商品の合計金額を、現在の予算残高から減算することで予算残高を更新する。又、ステップＳ１９では、サーバ側が、クライアントの表示部に表示されている画面１０−２中、商品棚２１からショッピングカート２３へドラッグアンドドロップされた各商品のアイコンを、商品棚２１内に表示されている各商品のアイコンより縮小してショッピングカート２３内で表示する。このように、購入予定の商品のアイコンをショッピングカート２３内に表示することにより、ユーザはショッピングカート２３内を見るだけで購入予定の商品を確認することができ、実世界でのショッピングカートを用いた買い物の感覚をユーザに与えることができる。
ステップＳ２０では、サーバ側が、ショッピングカート一覧２２に、ショッピングカート２３内の購入予定の商品の表示を追加し、ステップＳ１７やＳ１８の計算結果に基いてショッピングカート一覧２２の表（リスト）を再計算し、処理はステップＳ２２へ進む。他方、ステップＳ１５の判定結果がＹＥＳであると、ステップＳ２１では、サーバ側が、ショッピングカート一覧２２の該当商品の個数を１つ増加すると共に、ショッピングカート一覧２２の表を再計算し、処理はステップＳ２２へ進む。
図１４は、ショッピングカート一覧２２を示す図である。ショッピングカート一覧２２には、ショッピングカート２３内の購入予定の各商品の品名、単価、個数、金額（価格）、消費税、支払額、予算残高等が示される。
ステップＳ２２では、サーバ側が、予算残高が０未満であるか否かを判定し、判定結果がＮＯであると、処理は図５に示すステップＳ６へ戻る。他方、ステップＳ２２の判定結果がＹＥＳであると、ステップＳ２３では、サーバ側が、画面１０−２内のショッピングカート２３を、図１０に示すようにウィンドウ２４内の予算残高の表示よりも下位に表示し、処理は図５に示すステップＳ６へ戻る。
ステップＳ１４の判定結課がＮＯであると、ステップＳ２５では、サーバが、クライアント側でユーザが返却したい商品をショッピングカート２３から返却ボックス２７へドラッグアンドドロップしたか否かを、クライアント側からの通知に基いて判定する。ステップＳ２５の判定結果がＮＯであると、処理は図５に示すステップＳ６へ戻る。図１１は、商品Ｂをショッピングカート２３から返却ボックス２７へ移動する状態を示している。この移動の結果、画面１０−２内の表示は、図９に示す状態に戻る。
ステップＳ２５の判定結果がＹＥＳであると、ステップＳ２６では、サーバ側が、現在の予算残高に返却した商品の支払額を加算することで、予算残高を更新してウィンドウ２４内に表示する。返却する商品が複数ある場合には、各商品の支払額の合計、即ち、商品の合計金額を、現在の予算残高に加算することで予算残高を更新する。又、ステップＳ２７では、サーバ側が、返却ボックス２７へ移動した商品のアイコンの表示をショッピングカート２３内から消去する。ステップＳ２８では、サーバ側が、ショッピングカート一覧２２から、ショッピングカート２３内の返却された商品の表示を削除し、ショッピングカート一覧２２の表を再計算し、処理はステップＳ２９へ進む。
ステップＳ２９では、サーバ側が、予算残高が０より大きいか否かを判定し、判定結果がＮＯであると、処理は図５に示すステップＳ６へ戻る。他方、ステップＳ２９の判定結果がＹＥＳであると、ステップＳ３０では、サーバ側が、画面１０−２内のショッピングカート２３を、図９及び図１０に示すようにウィンドウ２４内の予算残高の表示よりも上位に表示し、処理は図５に示すステップＳ６へ戻る。
クライアント側からショッピングカート一覧２２の個数入力を行う場合、図１４中矢印Ｘで示すように、ショッピングカート一覧２２の個数の欄に個数を直接入力しても、同じ商品を商品棚２１から複数回ショッピングカート２３へドラッグアンドドロップしても良い。このような個数入力が行われ、図５に示すステップＳ８の判定結果がＹＥＳであると、ステップＳ９では、個数入力に応じてショッピングカート一覧２２の表を再計算する。又、ステップＳ１０では、サーバ側が、予算残高が０未満であるか否かを判定し、判定結果がＹＥＳであると、処理は図６に示すステップＳ２３へ進む。他方、ステップＳ１０の判定結果がＮＯであると、処理は図６に示すステップＳ３０へ進む。
図５において、ステップＳ７の判定結果がＹＥＳであると、サーバ側が、クライアント側の表示部に、図１２に示す如き購入画面１０−３を表示する。購入画面１０−３には、購入品一覧３１、クレジット番号入力用のウィンドウ３２、ユーザ（購入者）の氏名入力用のウィンドウ３３、商品の届け先の住所入力用のウィンドウ３４、キャンセルボタン３５及び確認ボタン３６が表示される。
ステップＳ４２では、クライアント側で、ユーザが購入品一覧３１を確認しながらウィンドウ３２〜３４内にデータを入力する。ステップＳ４３では、サーバ側が、クライアント側でユーザが確認ボタン３６を選択したか否かを判定する。ユーザが商品の購入を最終的に確認して確認ボタン３６を選択すると、ステップＳ４３の判定結果はＹＥＳとなり、ステップＳ４４では、サーバ側で商品の購入処理を行い、処理は終了する。商品の購入処理は、購入された商品の発注や配送を含む、周知の処理であるため、その詳細な説明は省略する。尚、購入画面１０−３において、キャンセルボタン３５が選択されると、画面１０−２においてキャンセルボタン２５が選択された場合と同様に、処理が強制的に終了される。
ところで、購入予定の商品の合計金額と予算残高とのバランスの表示は、上記実施例のように、秤３０を用いた表示方法に限定されるものではなく、バランスがユーザにより視覚的に認識可能な形態であれば良い。
図１５は、購入予定の商品の合計金額と予算残高とのバランスの表示の変形例を説明する図である。同図は、ショッピングカート２３内に購入予定の商品Ａ，Ｄのアイコンが表示された状態を示す。この変形例の場合、予算は、ショッピングカート２３の高さである予算ラインＬ１で示される。又、購入予定の商品の合計金額（購入価格）と予算との割合は、割合ラインＬ２で示される。つまり、割合ラインＬ２で区画されるショッピングカート２３内の梨地で示す占有面積は、購入予定の商品の合計金額（購入価格）と予算との割合に応じて変化する。ショッピングカート２３の底から割合ラインＬ２までの領域、即ち、上記占有面積は、ショッピングカート２３の他の領域とは異なる例えば緑色で表示されており、割合ラインＬ２が予算ラインＬ１の高さ以下であれば、合計金額（購入価格）は予算以内であることがわかる。この場合、割合ラインＬ２が予算ラインＬ１の高さを超えると、例えばショッピングカート２３内の全領域を赤色で表示したり、予算ラインＬ１を超える高さ分だけを赤色で表示することで、予算を超えたことを示すことができる。
このようにして、購入予定の商品の合計金額と予算残高とのバランスを、ユーザが分かりやすい形式で表示することができる。
尚、本発明は、上記実施例に限定されるものではなく、本発明の範囲内で種々の改良及び変更が可能であることは、言うまでもない。
【図面の簡単な説明】
図１はインターネット上の店舗におけるショッピングを行う場合の従来の操作を説明する図である。
図２はインターネット上の店舗におけるショッピングを行う場合の従来の操作を説明する図である。
図３はインターネット上の店舗におけるショッピングを行う場合の従来の操作を説明する図である。
図４は本発明になるショッピングシステムの一実施例を示す図である。
図５は実施例の動作を説明するフローチャートである。
図６は実施例の動作を説明するフローチャートである。
図７はユーザがショッピングモールの店舗で買い物をする際に表示される画面を示す図である。
図８はユーザがショッピングモールの店舗で買い物をする際に表示される画面を示す図である。
図９はユーザがショッピングモールの店舗で買い物をする際に表示される画面を示す図である。
図１０はユーザがショッピングモールの店舗で買い物をする際に表示される画面を示す図である。
図１１はユーザがショッピングモールの店舗で買い物をする際に表示される画面を示す図である。
図１２はユーザがショッピングモールの店舖で買い物をする際に表示される画面を示す図である。
図１３は、ショッピングカートの大きさを説明する図である。
図１４はショッピングカート一覧を示す図である。
図１５は、購入予定の商品の合計金額と予算残高とのバランスの表示の変形例を説明する図である。
【図１】
2002056217.tif 000003
【図２】
2002056217.tif 000004
【図３】
2002056217.tif 000005
【図４】
2002056217.tif 000006
【図５】
2002056217.tif 000007
【図６】
2002056217.tif 000008
【図７】
2002056217.tif 000009
【図８】
2002056217.tif 000010
【図９】
2002056217.tif 000011
【図１０】
2002056217.tif 000012
【図１１】
2002056217.tif 000013
【図１２】
2002056217.tif 000014
【図１３】
2002056217.tif 000015
【図１４】
2002056217.tif 000016
【図１５】
2002056217.tif 000017
【国際調査報告】
2002056217.tif 000018
2002056217.tif 000019